Podtech/llm-jp-corpus-v4-ja_patent huggingface dataset:
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
第１の支持体を前記第１の支持体に面して配置される第２の支持体から分離する空間を満たすための角度調整を備えるスペーシングデバイス（１）であって、前記スペーシングデバイス（１）は、
−  前記第１の支持体に堅固に接続されることが意図されおよび雌ねじ（２ｃ）を有する取付部（２）、
−  雄ねじ（３ｃ）および球状先端付き支持端（３ｂ）を有するスペーシング部（３）、
−  フッキングシステム（４ａ）を含む駆動リング（４）であって、前記スペーシング部（３）内に収容されおよび当該部に結合される、駆動リング（４）、
を含み、
前記取付部（２）および前記スペーシング部（３）は、それらそれぞれのねじ山（２ｃ、３ｃ）で一緒に組み立てられ、および前記スペーシングデバイス（１）を前記第１の支持体および前記第２の支持体を分離する距離に調整するために互いに関して軸方向に移動可能であり、前記スペーシングデバイスは、前記スペーシング部に抗して保持されおよび前記駆動リング（４）の前記フッキングシステム（４ａ）によって維持される支持リング（５）であって、前記第２の支持体を圧迫するための第１の平坦面を有する支持リング（５）、および前記スペーシング部の第２の球状面（３ｂ）を含むことを特徴とするスペーシングデバイス（１）。
【請求項２】
前記駆動リング（４）は、ツールによるトルクの印加を容易にするための少なくとも１つのボスまたは少なくとも１つの凹部を備えることを特徴とする請求項１に記載のスペーシングデバイス（１）。
【請求項３】
前記フッキングシステム（４ａ）および前記支持リング（５）は、前記支持リング（５）の移動を可能にするのに十分な操作用の隙間を有することを特徴とする請求項２に記載のスペーシングデバイス（１）。
【請求項４】
前記フッキングシステム（４ａ）は、前記支持リング（５）の内部肩部（５ａ）を受け入れるための少なくとも１つのノッチ（４ｄ）によって形成されることを特徴とする請求項３に記載のスペーシングデバイス（１）。
【請求項５】
前記ノッチ（４ｄ）は、外部肩部（４ｂ）および可撓性ラグ（４ｅ）によって担持される維持フランジ（４ｃ）によって画定されることを特徴とする請求項４に記載のスペーシングデバイス（１）。
【請求項６】
前記外部肩部（４ｂ）は、前記可撓性ラグ（４ｅ）によって担持されることを特徴とする請求項５に記載のスペーシングデバイス（１）。
【請求項７】
前記取付部（２）は、支持体本体（２ｂ）および維持部材（２ａ）を含んで、前記デバイス（１）が前記第１の支持体に堅固に接続されることを可能にすることを特徴とする請求項１から６のいずれか一項に記載のスペーシングデバイス（１）。
【手続補正２】
【補正対象書類名】明細書
【補正対象項目名】００１２
【補正方法】変更
【補正の内容】
【００１２】
スペーシングデバイスは、スペーシング部に抗して保持されおよび駆動リングフッキングシステムによって維持される支持リングを含み、支持リングは、第２の支持体を圧迫する（bear on）ための第１の平坦面、およびスペーシング部の球状先端付き端を受け入れる第２の球状キャップ面を有する。
【手続補正３】
【補正対象書類名】明細書
【補正対象項目名】００３７
【補正方法】変更
【補正の内容】
【００３７】
取付部２およびスペーシング部３上に設けられるねじ山２ｃ、３ｃは、支持リング５の平坦面の一部が第２の支持体７ｂと接触するまで、スペーシング部３を軸方向に移動させる。この支持体７ｂは、第１の支持体７ａと数度であり得る角度オフセットを有する。
【手続補正４】
【補正対象書類名】明細書
【補正対象項目名】００４２
【補正方法】変更
【補正の内容】
【００４２】
スペーシングデバイス１が、また、相補要素のための取付支持体として使用されるとき、スペーシングデバイス１の設置および調整は、相補要素を、例えば、第１の支持体７ａの外面上に取付部２で位置決めする前に、行われる。ツール６は、したがって、デバイス１を位置決めするために、支持体のこの側上において挿入されることができ、次いで、考えられる相補要素は、最終組立段階の間、例えば第２の支持体７ｂの外面の側上で導入される貫通取付ねじを挿入することによって、取付部２上に固定されることができ、相補要素は、次いでナットを形成する。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
イオンビーム装置のためのガス圧入システムであって、
該ガス圧入システムは、引出しプレートを通ってのイオンビームの通過を可能にするための引出しアパーチャを有する引出しプレートを備え、
該引き出しプレートは、さらに、該引き出しプレートからのガスの排出を容易にするための前記引き出しプレートに形成されたガススロットを有する、ガス圧入システム。
【請求項２】
前記ガススロットと前記引き出しプレートに取り付けたガス多岐管との間の前記引き出しプレートを通って伸びる、ガス管を、さらに、備える、請求項１記載のガス圧入システム。
【請求項３】
前記ガス多岐管に流体連結して接続された第１のガス源を、さらに、備え、該第１のガス源は、第１の残留物除去ガスを含む、請求項２記載のガス圧入システム。
【請求項４】
前記ガス多岐管に流体連結して接続された第２のガス源を、さらに、備え、該第２のガス源は、前記第１の残留物除去ガスと異なる第２の残留物除去ガスを含む、請求項３記載のガス圧入システム。
【請求項５】
前記ガス管は、前記引き出しプレートを通って、前記引き出しプレートのエッジから伸びる穴により画定される、請求項２記載のガス圧入システム。
【請求項６】
前記ガス管は、前記引き出しプレートの前面及び後面のうちの少なくとも１つに形成される経路により画定される、請求項２記載のガス圧入システム。
【請求項７】
前記ガス多岐管は、第１の位置と第２の位置との間の選択的に調整できるバルブを含み、前記第１の位置において、前記ガスは前記引き出しプレートの中へ流れることができ、前記第２の位置において、前記ガスは前記引き出しプレートから周囲の外気へ排気することができる、請求項２記載のガス圧入システム。
【請求項８】
前記ガス多岐管に連結された多岐管カバーを、さらに、備え、該多岐管カバーは、前記バルブに連結され、前記バルブを前記第１の位置と前記第２の位置との間を動かすように適合された電子的に制御可能な駆動機構を含む、請求項７記載のガス圧入システム。
【請求項９】
前記ガススロットは、前記引き出しアパーチャの第１の側に配置された第１のガススロットであり、前記ガス圧入システムは、さらに、前記引き出しアパーチャの前記第１の側とは反対の第２の側に配置された第２のガススロットを備える、請求項１記載のガス圧入システム。
【請求項１０】
ガス圧入システムのための引出しプレートを製造する方法であって、該方法は、
細長い引出しアパーチャをプレートに形成するステップと、
前記プレートの第１の側の前記引出しアパーチャの第１の側にガススロットを形成するステップと、
前記ガススロットをガス源に流体連結して中に入れるための管のネットワークを前記プレートに形成するステップであって、該管のネットワークは前記ガススロットと交差するスロット管を含むステップと、を有する、方法。
【請求項１１】
前記管のネットワークは、
前記プレートのエッジから伸びる多岐管と、
前記多岐管と前記スロット管との間を伸びる相互接続管とを、さらに、備える、請求項１０記載の方法。
【請求項１２】
前記管のネットワークを形成するステップは、前記プレートの前記第１の側に平行な方向に、前記プレートにドリルで十字形の穴を開けるステップを有する、請求項１０記載の方法。
【請求項１３】
前記管のネットワークを形成するステップは、前記プレートの前記第１の側、及び、前記第１の側の反対の前記プレートの第２の側のうちの少なくとも１つに経路を設定するステップを有する、請求項１０記載の方法。
【請求項１４】
前記ガススロットは第１のガススロットであり、前記方法は、前記プレートの第１の側の、前記引出しアパーチャの前記第１の側とは反対の前記引出しアパーチャの第２の側に第２のガススロットを形成するステップを、さらに、有する、請求項１０記載の方法。
【請求項１５】
前記ガス源は第１のガス源であり、前記管のネットワークは第１の管のネットワークであり、前記方法は、前記第２のガススロットを第２のガス源に流体連結して中に入れるための第２の管のネットワークを前記プレートに形成するステップを、さらに、有する、請求項１４記載の方法。
【手続補正２】
【補正対象書類名】明細書
【補正対象項目名】発明の名称
【補正方法】変更
【補正の内容】
【発明の名称】イオンビーム装置のためのガス圧入システム及びガス圧入システムのための引出しプレートを製造する方法
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
少なくとも２つのセレノシステイン残基を含むタンパク質であって、少なくとも２つの前記セレノシステイン残基の間に少なくとも１つのジセレニド結合を有しており、前記タンパク質が、配列番号１１４２の配列または前記配列と少なくとも８０％が同一である配列を含む前記タンパク質。
【請求項２】
少なくとも２つのセレノシステイン残基を含むタンパク質であって、少なくとも２つの前記セレノシステイン残基の間に少なくとも１つのジセレニド結合を有しており、前記タンパク質が、配列番号１〜１１４１および１１４３〜１６３０、及び、前記配列と少なくとも８０％が同一である配列からなる群から選択される配列を含む前記タンパク質。
【請求項３】
前記タンパク質が、
（ｉ）配列番号１１４２、１１４４、１１４６、１１４８、１１５０、１１５２、及び、１１５４から選択される配列、及び、前記配列と少なくとも８０％が同一である配列を有するＡ鎖、配列番号１１４３、１１４５、１１４７、１１４９、１１５１、１１５３、及び、１１５５から選択される配列、及び、前記配列と少なくとも８０％が同一である配列を有するＢ鎖を含む修飾インスリンタンパク質であって、前記タンパク質が、前記Ａ鎖と前記Ｂ鎖との間に少なくとも１つのジセレニド結合を含む、前記修飾インスリンタンパク質；
（ｉｉ）セレノシステインに置換する少なくとも１つのシステインを有する配列番号１６３０の残基９０〜１１０を有するＡ鎖、セレノシステインに置換する少なくとも１つのシステインを有する配列番号１６３０の残基２５〜５４を有するＢ鎖、及び、前記Ａ鎖と前記Ｂ鎖との間にある少なくとも１つのジセレニド結合を含む、修飾インスリンタンパク質；または
（ｉｉｉ）天然のヒトインスリンタンパク質にある２つのシステイン残基を置換する少なくとも２つのセレノシステイン残基を含み、少なくとも２つの前記セレノシステイン残基の間に少なくとも１つのジセレニド結合を有する修飾インスリンタンパク質
である、請求項１または請求項２に記載のタンパク質。
【請求項４】
組換え細菌において製造される、請求項３に記載の修飾ヒトインスリンタンパク質。
【請求項５】
セレノシステインｔＲＮＡが、前記細菌のアンバーコドンを認識するように前記組換え細菌が再コードされる、請求項４に記載の修飾ヒトインスリンタンパク質。
【請求項６】
配列番号１１４２、１１４４、１１４６、１１４８、１１５０、１１５２、及び、１１５４から選択される配列、及び、前記配列と少なくとも８０％が同一である配列を有するＡ鎖、配列番号１１４３、１１４５、１１４７、１１４９、１１５１、１１５３、及び、１１５５から選択される配列、及び、前記配列と少なくとも８０％が同一である配列を有するＢ鎖を含む請求項３に記載の修飾インスリンタンパク質であって、前記タンパク質が、前記Ａ鎖と前記Ｂ鎖との間に少なくとも１つのジセレニド結合を含む、前記修飾インスリンタンパク質。
【請求項７】
セレノシステインに置換する少なくとも１つのシステインを有する配列番号１６３０の残基９０〜１１０を有するＡ鎖、セレノシステインに置換する少なくとも１つのシステインを有する配列番号１６３０の残基２５〜５４を有するＢ鎖、及び、前記Ａ鎖と前記Ｂ鎖との間にある少なくとも１つのジセレニド結合を含む、請求項３に記載の修飾インスリンタンパク質。
【請求項８】
天然のヒトインスリンタンパク質にある２つのシステイン残基を置換する少なくとも２つのセレノシステイン残基を含み、少なくとも２つの前記セレノシステイン残基の間に少なくとも１つのジセレニド結合を有する、請求項３に記載の修飾インスリンタンパク質。
【請求項９】
医薬として許容される担体中に請求項１〜８のいずれか一項に記載の修飾タンパク質を含む組成物。
【請求項１０】
対象を処置する際に使用するための組成物であって、医薬として許容される担体中に請求項１〜８のいずれか一項に記載の修飾タンパク質を含む、組成物。
【請求項１１】
前記組成物が、皮下投与のために製剤化されている、請求項９または１０のいずれかに記載の組成物。
【請求項１２】
配列番号４７２〜８０１、及び、前記配列と少なくとも８０％が同一である配列からなる群から選択される重鎖配列と、配列番号８１２〜１１３１、及び、前記配列と少なくとも８０％が同一である配列からなる群から選択される軽鎖配列とを含む抗体分子であって、前記抗体分子でのセレノシステイン残基の０〜十五対が、０〜十五対のシステイン残基で置換されており、かつ、前記抗体が、前記重鎖と前記軽鎖との間に少なくとも１つのジセレニド結合を含む、前記抗体分子。
【請求項１３】
割り当てがされていないコドンが、対応するアンチコドンを有するセレノシステインｔＲＮＡによって認識されるようにゲノム的に再コードした細菌宿主であって、前記細菌宿主は、一対のシステインコドンが、割り当てがされていない前記コドンで置換されたタンパク質の変異型をコードする構築されたＤＮＡ配列を含み、前記変異型は、配列番号１〜１６３０、及び、前記配列と少なくとも８０％が同一である配列からなる群から選択される配列を含む、前記細菌宿主。
【請求項１４】
割り当てがされていないコドンが、対応するアンチコドンを有するセレノシステインｔＲＮＡによって認識されるようにゲノム的に再コードした細菌宿主であって、前記細菌宿主は、一対のシステインコドンが、割り当てがされていない前記コドンで置換されたタンパク質の変異型をコードする構築されたＤＮＡ配列を含み、前記変異型は、配列番号１６３１の配列、及び、前記配列と少なくとも８０％が同一である配列を含む、請求項１３に記載の前記細菌宿主。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
被験者の骨粗鬆症を予防及び治療するためのプラスミノーゲンを含む薬物組成物。
【請求項２】
前記骨粗鬆症は原発性骨粗鬆症と継発性骨粗鬆症を含む、請求項１に記載の薬物組成物。
【請求項３】
前記原発性骨粗鬆症は閉経後骨粗鬆症と老年性骨粗鬆症を含む、請求項２に記載の薬物組成物。
【請求項４】
前記継発性骨粗鬆症は、内分泌疾患、リウマチ性疾患、及び胃腸疾患に継発する骨粗鬆症、並びに薬物治療によって引き起こされる骨粗鬆症を含む、請求項２に記載の薬物組成物。
【請求項５】
前記継発性骨粗鬆症は、グルココルチコイド、原発性副甲状腺機能亢進症、甲状腺機能亢進症、原発性胆汁性肝硬変、性腺機能低下、糖尿病、高血圧、アテローム性動脈硬化症、慢性腎臓病、リウマチ様関節炎、全身性エリテマトーデス、強直性脊椎炎、骨関節炎、性腺ホルモン治療、抗てんかん薬治療、及び化学療法薬物治療によって引き起こされる骨粗鬆症を含む、請求項４に記載の薬物組成物。
【請求項６】
プラスミノーゲンは骨体積を増加させ、骨構造を改善し、骨密度と骨塩含有量を増加させ、及び／又は骨芽細胞の活性を改善する、請求項１〜５のいずれか１項に記載の薬物組成物。
【請求項７】
被験者の骨芽細胞の活性を増強するためのプラスミノーゲンを含む薬物組成物。
【請求項８】
被験者の骨塩代謝を調節制御するためのプラスミノーゲンを含む薬物組成物。
【請求項９】
前記調節制御は、血中カルシウムレベルを低下させることと、血中リン酸塩レベルを上昇させることと、骨基質におけるカルシウムの沈着を促進すること及び／または血管壁、内臓におけるカルシウムの沈着を低下させることとを含む、請求項８に記載の薬物組成物。
【請求項１０】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものである、請求項１〜９のいずれか１項に記載の薬物組成物。
【請求項１１】
前記プラスミノーゲンは配列番号１４に示されるプラスミノーゲン活性フラグメントを含有し、且つ依然プラスミノーゲン活性を有するタンパク質である、請求項１〜９のいずれか１項に記載の薬物組成物。
【請求項１２】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜９のいずれか１項に記載の薬物組成物。
【請求項１３】
前記被験者はヒトである、請求項１〜１２のいずれか１項に記載の薬物組成物。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、糖尿病の対象におけるグルカゴン分泌を低下させることにより糖尿病を治療することにおける使用のための薬学的組成物。
【請求項２】
前記プラスミノーゲンは、血糖が上昇した状態の糖尿病の対象におけるグルカゴン分泌を低下させ、血糖を正常または正常に近いレベルに戻す、請求項１に記載の使用のための薬学的組成物。
【請求項３】
前記プラスミノーゲンは、対象のグルカゴンの発現及び／または分泌を低下させるとともに、インスリンの発現及び／または分泌を促進する、請求項１または２に記載の使用のための薬学的組成物。
【請求項４】
前記プラスミノーゲンは、対象のグルカゴンの発現及び／または分泌を低下させるとともにインスリンの発現及び／または分泌を促進することにより、対象の血糖を正常または正常に近いレベルに戻す、請求項３に記載の使用のための薬学的組成物。
【請求項５】
前記プラスミノーゲンはインスリン受容体基質２（ＩＲＳ−２）の発現を促進する、請求項１〜４のいずれか１項に記載の使用のための薬学的組成物。
【請求項６】
有効量のプラスミノーゲンを含む、糖尿病の対象における血糖を低下させることにおける使用のための薬学的組成物。
【請求項７】
前記血糖は、血清ブドウ糖レベルと、血清フルクトサミンレベルと、血清糖化ヘモグロビンレベルのうちの一つ以上から選択される、請求項６に記載の使用のための薬学的組成物。
【請求項８】
前記血糖は血清ブドウ糖レベルである、請求項７に記載の使用のための薬学的組成物。
【請求項９】
前記糖尿病はＴ１ＤＭまたはＴ２ＤＭである、請求項６〜８のいずれか１項に記載の使用のための薬学的組成物。
【請求項１０】
有効量のプラスミノーゲンを含む、糖尿病の対象における糖の耐量を高めることにおける使用のための薬学的組成物。
【請求項１１】
有効量のプラスミノーゲンを含む、糖尿病の対象における食後の血糖降下を促進することにおける使用のための薬学的組成物。
【請求項１２】
前記プラスミノーゲンは一種以上のその他の薬物または治療方法との組合せで投与される、請求項１〜１１のいずれか１項に記載の使用のための薬学的組成物。
【請求項１３】
前記プラスミノーゲンは、抗糖尿病薬と、抗心脳血管疾患薬と、抗血栓薬と、抗高血圧薬と、抗脂血薬と、抗凝固薬と、抗感染薬より選ばれる一つ以上の薬物との組合せで投与される、請求項１２に記載の使用のための薬学的組成物。
【請求項１４】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものである、請求項１〜１３のいずれか１項に記載の使用のための薬学的組成物。
【請求項１５】
前記プラスミノーゲンは、配列番号１４で示されるプラスミノーゲン活性フラグメントを含有し、且つ依然プラスミノーゲン活性を有するタンパク質、とりわけＧｌｕ−プラスミノーゲン、Ｌｙｓ−プラスミノーゲン、ミニ−プラスミノーゲン、マイクロ−プラスミノーゲン、デルタ−プラスミノーゲン、又はプラスミノーゲン活性を保持するそれらのバリアントである、請求項１〜１３のいずれか１項に記載の使用のための薬学的組成物。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
対象のアテローム性動脈硬化症を予防するための、プラスミノーゲンを含む医薬組成物。
【請求項２】
前記対象は、脂肪代謝障害、糖代謝疾患、肝臓疾患、腎臓疾患、心血管疾患、腸疾患、甲状腺疾患、胆嚢もしくは胆道疾患、及び肥満症からなる群より選択される疾患に罹患している対象、または過量飲酒をした対象である、請求項１に記載の医薬組成物。
【請求項３】
前記対象が、高血圧、糖尿病、慢性肝炎、高脂血症、高リポタンパク血症、脂肪肝、肝硬変、腎損傷、慢性糸球体腎炎、慢性腎盂腎炎、ネフローゼ症候群、腎機能不全、腎移植、尿毒症、甲状腺機能低下、閉塞性胆嚢炎、肥満症、及び閉塞性胆管炎からなる群より選択される疾患に罹患している対象である、請求項２に記載の医薬組成物。
【請求項４】
前記プラスミノーゲンが、血液、皮下組織、血管壁、及び内臓からなる群より選択される生体部位における異常な脂肪沈着を予防及び／または低減する、請求項１〜３のいずれか１項に記載の医薬組成物。
【請求項５】
前記プラスミノーゲンは、対象の血清の総コレステロールレベルを低下させることと、対象の血清のトリグリセリドレベルを低下させることと、対象の血清の低密度リポタンパク質レベルを低下させることと、対象の血清の高密度リポタンパク質レベルを上昇させることと、対象の肝臓の脂肪代謝を促進することと、肝臓の脂肪輸送を促進することと、対象の肝臓における脂肪沈着を低減することとからなる群より選ばれる一つ以上によってアテローム性動脈硬化症を予防する、請求項１〜４のいずれか１項に記載の医薬組成物。
【請求項６】
前記アテローム性動脈硬化症が冠状動脈アテローム性硬化症である、請求項１〜５のいずれか１項に記載の医薬組成物。
【請求項７】
前記冠状動脈アテローム性硬化症は、冠状動脈性心臓病と、狭心症と、心筋梗塞と、不整脈と、心不全と、脳虚血と、脳血栓と、頸動脈内血栓症と、脳萎縮と、脳出血と、脳塞栓と、腎機能不全と、高血圧と、糸球体繊維化と、腎不全と、尿毒症と、腸壁虚血壊死と、便血と、間欠性跛行と、壊疽とからなる群より選ばれる一つ以上の冠状動脈アテローム性硬化症に関連する状態を含む、請求項６に記載の医薬組成物。
【請求項８】
前記プラスミノーゲンは一種以上のその他の薬物または治療方法と併用される、請求項１〜７のいずれか１項に記載の医薬組成物。
【請求項９】
前記一種以上のその他の薬物は、脂質低下薬、抗血小板薬、血圧降下薬、血管拡張薬、血糖降下薬、抗凝固薬、血栓溶解薬、肝臓保護薬、抗不整脈薬、強心薬、利尿薬、抗感染薬、抗ウイルス薬、免疫調節薬、炎症調節薬、及びホルモン薬からなる群から選択される、請求項８に記載の医薬組成物。
【請求項１０】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものである、請求項１〜９のいずれか１項に記載の医薬組成物。
【請求項１１】
前記プラスミノーゲンは、配列番号１４に示されるプラスミノーゲン活性フラグメントを含有し、且つ依然プラスミノーゲン活性を有するタンパク質である、請求項１〜９のいずれか１項に記載の医薬組成物。
【請求項１２】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜９のいずれか１項に記載の医薬組成物。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
対象の肥満症を予防または治療するための、有効量のプラスミノーゲンを含む医薬組成物。
【請求項２】
前記プラスミノーゲンは、組織および／または器官、および／またはその周囲、ならびに／あるいは腹腔における脂質の異常沈着または過剰沈着を減少させることによって肥満症を治療する、請求項１に記載の医薬組成物。
【請求項３】
前記プラスミノーゲンは、皮下、心臓、肝臓、肺臓、腎臓、血管、腸間膜、腹膜、体腔、および器官周囲からなる群より選択される部位における脂質の異常沈着または過剰沈着を減少させる、請求項２に記載の医薬組成物。
【請求項４】
前記プラスミノーゲンは、前記対象の血脂を低下させることによって、特にトリグリセリドおよび低密度リポタンパク質レベルを低下させることによって肥満症を治療する、請求項１に記載の医薬組成物。
【請求項５】
前記肥満症は、単純性肥満症またはその他の疾患に継発する肥満症である、請求項１〜４のいずれか１項に記載の医薬組成物。
【請求項６】
前記肥満症は、内分泌障害疾患、糖代謝疾患、肝臓疾患、腎臓疾患、心血管疾患、腸疾患、甲状腺疾患、胆嚢または胆道疾患、過量飲酒、あるいは薬物作用に継発するものである、請求項５に記載の医薬組成物。
【請求項７】
前記肥満症は、疾患と合併し、疾患と合併する前記肥満症は、内分泌疾患と合併する肥満症、代謝性疾患と合併する肥満症、心血管疾患と合併する肥満症、消化系疾患と合併する肥満症、または退行性疾患と合併する肥満症であり、
具体的には、糖尿病と合併する肥満症、高血圧と合併する肥満症、アテローム性動脈硬化症と合併する肥満症、肝臓疾患と合併する肥満症、または骨粗しょう症と合併する肥満症である、請求項１〜４のいずれか１項に記載の医薬組成物。
【請求項８】
組織および／または器官、および／またはその周囲、皮下、あるいは腹腔における脂肪の異常沈着または過剰沈着を減少させることにより、対象の肥満症の発症リスクを低めるための、有効量のプラスミノーゲンを含む医薬組成物。
【請求項９】
前記プラスミノーゲンは、
１）皮下、心臓、肝臓、肺臓、腎臓、血管、腸間膜、腹膜、体腔、器官周囲からなる群より選ばれる一つ以上の部位における脂質の異常沈着または過剰沈着を減少させることと、
２）肝臓脂肪の除去を促進することと、
３）血中脂質の除去を促進することと
からなる群より選択される一つ以上の方法によって対象の体内の脂肪の異常沈着または過剰沈着を低減する、請求項８に記載の医薬組成物。
【請求項１０】
前記プラスミノーゲンは、血清のトリグリセリドレベル、低密度リポタンパク質レベルを低下させる、請求項９に記載の医薬組成物。
【請求項１１】
前記プラスミノーゲンは、一種以上のその他の薬物または治療方法と併用される、請求項１〜１０のいずれか１項に記載の医薬組成物。
【請求項１２】
前記一種以上のその他の薬物は、高血圧の治療薬、糖尿病の治療薬、アテローム性動脈硬化症の治療薬、慢性糸球体腎炎の治療薬、慢性腎盂腎炎の治療薬、ネフローゼ症候群の治療薬、腎機能不全の治療薬、尿毒症の治療薬、腎移植の治療薬、脂肪肝の治療薬、肝硬変の治療薬、肥満症の治療薬からなる群より選択される、
具体的には、前記一種以上のその他の薬物は、脂質低下薬、抗血小板薬、血圧降下薬、血管拡張薬、血糖降下薬、抗凝固薬、血栓溶解薬、肝臓保護薬、抗不整脈薬、強心薬、利尿薬、抗感染薬、抗ウイルス薬、免疫調節薬、炎症調節薬、抗腫瘍薬、ホルモン薬、チロキシンからなる群より選択される、請求項１１に記載の医薬組成物。
【請求項１３】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものである、請求項１〜１２のいずれか１項に記載の医薬組成物。
【請求項１４】
前記プラスミノーゲンは、配列番号１４に示されるプラスミノーゲン活性フラグメントを含有し、且つ依然プラスミノーゲン活性を有するタンパク質である、請求項１〜１２のいずれか１項に記載の医薬組成物。
【請求項１５】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜１２のいずれか１項に記載の医薬組成物。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、糖尿病の対象におけるインスリン分泌を促進することにより糖尿病を治療することにおける使用のための薬学的組成物。
【請求項２】
前記プラスミノーゲンはさらに糖尿病の対象におけるインスリンの発現を促進する、請求項１に記載の使用のための薬学的組成物。
【請求項３】
前記糖尿病はＴ１ＤＭまたはＴ２ＤＭである、請求項１または２に記載の使用のための薬学的組成物。
【請求項４】
前記プラスミノーゲンは糖尿病の対象における食後のインスリン分泌を促進する、請求項１〜３のいずれか１項に記載の使用のための薬学的組成物。
【請求項５】
有効量のプラスミノーゲンを含む、糖尿病の対象における食後のグルカゴン分泌を低下させることにおける使用のための薬学的組成物。
【請求項６】
前記プラスミノーゲンは、糖尿病の対象における血糖上昇の刺激に応答してインスリン分泌を促進することにより、血糖を正常または正常に近いレベルに戻す、請求項１〜４のいずれか１項に記載の使用のための薬学的組成物。
【請求項７】
前記プラスミノーゲンは、前記インスリンの発現及び／または分泌を促進するとともに対象におけるグルカゴンの発現及び／または分泌を低下させることにより、対象における血糖を正常または正常に近いレベルに戻す、請求項６に記載の使用のための薬学的組成物。
【請求項８】
有効量のプラスミノーゲンを含む、糖尿病の対象における血糖を減少させることにおける使用のための薬学的組成物であって、前記血糖は、血清ブドウ糖レベルと、血清フルクトサミンレベルと、血清糖化ヘモグロビンレベルのうちの一つ以上から選択される、薬学的組成物。
【請求項９】
前記血糖は血清ブドウ糖レベルである、請求項８に記載の使用のための薬学的組成物。
【請求項１０】
有効量のプラスミノーゲンを含む、膵島における炎症の修復を促進することにおける使用のための薬学的組成物であって、前記プラスミノーゲンは、膵島におけるコラーゲンの沈着を減少させ、膵島の線維化を軽減し、且つ／または膵島細胞のアポトーシスを抑制する、薬学的組成物。
【請求項１１】
前記プラスミノーゲンは一種以上のその他の薬物または治療方法、とりわけ抗糖尿病薬と、抗心脳血管疾患薬と、抗血栓薬と、抗高血圧薬と、抗脂血薬と、抗凝固薬と、抗感染薬より選ばれる一つ以上の薬物との組合せで投与される、請求項１〜１０のいずれか１項に記載の使用のための薬学的組成物。
【請求項１２】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものである、請求項１〜１１のいずれか１項に記載の使用のための薬学的組成物。
【請求項１３】
前記プラスミノーゲンは、配列番号１４で示されるプラスミノーゲン活性フラグメントを含有し、且つ依然プラスミノーゲン活性を有するタンパク質、とりわけＧｌｕ−プラスミノーゲン、Ｌｙｓ−プラスミノーゲン、ミニ−プラスミノーゲン、マイクロ−プラスミノーゲン、デルタ−プラスミノーゲン、又はプラスミノーゲン活性を保持するそれらのバリアントである、請求項１〜１２のいずれか１項に記載の使用のための薬学的組成物。
【請求項１４】
ラベルを含む容器と、請求項１〜１３のいずれか１項に記載の使用のための薬学的組成物とを含む製品であって、前記ラベルは、前記組成物を前記対象に投与することを示す、製品。
【請求項１５】
その他の薬物、とりわけ抗糖尿病薬と、抗心脳血管疾患薬と、抗血栓薬と、抗高血圧薬と、抗脂血薬と、抗凝固薬と、抗感染薬とからなる群より選ばれるその他の薬物を収容する、一つ以上の追加の手段または容器をさらに含む、請求項１４に記載の製品。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
式：
【化１】
2020502157.tif 000001
［式中、
Ｒ１は、−ＣＨ２ＣＨ（ＣＨ３）２、−ＣＨ２ＣＨ３、−ＣＨ２ＣＨ２ＯＣＨ３、または−ＣＨ２−シクロプロピルであり、
Ｒ２は、−ＣＨ３または−ＣＨ２ＣＨ３である］
の化合物、またはその薬学的に許容される塩。
【請求項２】
７−［［（１Ｓ）−１−［４−［（１Ｒ）−２−シクロプロピル−１−（４−プロプ−２−エノイルピペラジン−１−イル）エチル］フェニル］エチル］アミノ］−１−エチル−４Ｈ−ピリミド［４，５−ｄ］［１，３］オキサジン−２−オン、
７−［［（１Ｓ）−１−［４−［（１Ｓ）−２−シクロプロピル−１−（４−プロプ−２−エノイルピペラジン−１−イル）エチル］フェニル］エチル］アミノ］−１−エチル−４Ｈ−ピリミド［４，５−ｄ］［１，３］オキサジン−２−オン、
１−エチル−７−［［（１Ｓ）−１−［４−［１−（４−プロプ−２−エノイルピペラジン−１−イル）プロピル］フェニル］エチル］アミノ］−４Ｈ−ピリミド［４，５−ｄ］［１，３］オキサジン−２−オン（異性体１）、
１−エチル−７−［［（１Ｓ）−１−［４−［１−（４−プロプ−２−エノイルピペラジン−１−イル）プロピル］フェニル］エチル］アミノ］−４Ｈ−ピリミド［４，５−ｄ］［１，３］オキサジン−２−オン（異性体２）
である請求項１に記載の化合物、またはそれらのいずれかの薬学的に許容される塩。
【請求項３】
７−［［（１Ｓ）−１−［４−［（１Ｓ）−２−シクロプロピル−１−（４−プロプ−２−エノイルピペラジン−１−イル）エチル］フェニル］エチル］アミノ］−１−エチル−４Ｈ−ピリミド［４，５−ｄ］［１，３］オキサジン−２−オンである請求項２に記載の化合物、またはその薬学的に許容される塩。
【請求項４】
請求項１〜３のいずれか一項に記載の化合物またはその薬学的に許容される塩および薬学的に許容される担体を含む、医薬組成物。
【請求項５】
治療に使用するための、請求項１〜３のいずれか一項に記載の化合物またはその薬学的に許容される塩を含む、医薬組成物。
【請求項６】
神経膠腫、膠芽腫、多形性膠芽腫、星細胞腫、乏突起膠腫、傍神経節腫、線維肉腫、血管免疫芽球性Ｔ細胞リンパ腫（ＡＩＴＬ）、骨髄異形成症候群（ＭＤＳ）、Ｂ細胞急性リンパ芽球性白血病（Ｂ−ＡＬＬ）、甲状腺癌、結腸直腸癌、急性骨髄性白血病（ＡＭＬ）、黒色腫、前立腺癌、軟骨肉腫、または肝内胆管癌である、変異体ＩＤＨ１または変異体ＩＤＨ２を発現する癌の治療に使用するための、請求項４または５に記載の医薬組成物。
【請求項７】
変異体ＩＤＨ１または変異体ＩＤＨ２を発現する前記癌が、線維肉腫、急性骨髄性白血病、神経膠腫、または膠芽腫である、請求項６に記載の医薬組成物。
【請求項８】
神経膠腫、膠芽腫、多形性膠芽腫、星細胞腫、乏突起膠腫、傍神経節腫、線維肉腫、血管免疫芽球性Ｔ細胞リンパ腫（ＡＩＴＬ）、骨髄異形成症候群（ＭＤＳ）、Ｂ細胞急性リンパ芽球性白血病（Ｂ−ＡＬＬ）、甲状腺癌、結腸直腸癌、急性骨髄性白血病（ＡＭＬ）、黒色腫、前立腺癌、軟骨肉腫、または肝内胆管癌である、変異体ＩＤＨ１または変異体ＩＤＨ２を発現する癌の治療に使用するための薬剤の製造のための、請求項１〜３のいずれか一項に記載の化合物、またはその薬学的に許容される塩の使用。
【請求項９】
変異体ＩＤＨ１または変異体ＩＤＨ２を発現する前記癌が、線維肉腫、急性骨髄性白血病、神経膠腫、または膠芽腫である、請求項８に記載の使用。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
対象の脂肪代謝障害を予防および／または治療するための、予防および／または治療に有効な量のプラスミノーゲンを含む医薬組成物。
【請求項２】
前記脂肪代謝障害は、内分泌障害疾患、糖代謝疾患、肝臓疾患、腎臓疾患、心血管疾患、腸疾患、甲状腺疾患、胆嚢または胆道疾患、肥満症、飲酒、若しくは薬物治療によって引き起こされるまたはそれらに伴われる脂肪代謝障害である、請求項１に記載の医薬組成物。
【請求項３】
前記脂肪代謝障害は、高脂血症、高リポタンパク血症、脂肪肝、アテローム性動脈硬化症、肥満症、および内臓脂肪沈着からなる群より選択される、請求項１または２に記載の医薬組成物。
【請求項４】
前記アテローム性動脈硬化症は、アテローム性大動脈硬化症と、冠状動脈アテローム性硬化症と、脳動脈アテローム性硬化症と、腎動脈アテローム性硬化症と、肝動脈アテローム性硬化症と、腸間膜動脈アテローム性硬化症と、下肢アテローム性動脈硬化症とからなる群より選択される、請求項３に記載の医薬組成物。
【請求項５】
前記対象の身体の組織および器官における異常な脂肪沈着を予防および／または低減するための請求項１〜４のいずれか１項に記載の医薬組成物。
【請求項６】
前記身体の組織および器官における異常な脂肪沈着が、血液、皮下組織、血管壁、および／または内臓における異常な脂肪沈着である、請求項５に記載の医薬組成物。
【請求項７】
前記対象の高脂血症を改善するための、かつ／あるいは高脂血症に関連する状態を予防および／または治療するための、請求項１〜４のいずれか１項に記載の医薬組成物。
【請求項８】
前記高脂血症は、高コレステロール血症、高トリグリセリド血症、混合型高脂血症、および低高密度リポタンパク質血症からなる群より選択される一つ以上である、請求項７に記載の医薬組成物。
【請求項９】
対象のアテローム性動脈硬化症のリスクを低下させるための、プラスミノーゲンを含む医薬組成物。
【請求項１０】
前記対象は、高血圧、肥満症、糖尿病、慢性肝炎、肝硬変、腎損傷、慢性糸球体腎炎、慢性腎盂腎炎、ネフローゼ症候群、腎機能不全、腎移植、尿毒症、甲状腺機能低下、閉塞性胆嚢炎、または閉塞性胆管炎に罹患しているか、または前記対象は、脂肪代謝を影響する薬物またはホルモンを服用している、請求項９に記載の医薬組成物。
【請求項１１】
前記プラスミノーゲンは、血中の総コレステロールレベルを低下させることと、トリグリセリドレベルを低下させることと、低密度リポタンパク質レベルを低下させることと、血中の高密度リポタンパク質レベルを上昇させることとからなる群より選択される一つ以上の方法によって前記対象のアテローム性動脈硬化症のリスクを低下させる、請求項９または１０に記載の医薬組成物。
【請求項１２】
前記プラスミノーゲンは、配列番号２と少なくとも７５％、８０％、８５％、９０％、９５％、９６％、９７％、９８％または９９％の配列同一性を有し、且つ依然プラスミノーゲン活性を有するものである、請求項１〜１１のいずれか１項に記載の医薬組成物。
【請求項１３】
前記プラスミノーゲンは、配列番号１４に示されるプラスミノーゲン活性フラグメントを含み、且つ依然プラスミノーゲン活性を有するタンパク質である、請求項１〜１１のいずれか１項に記載の医薬組成物。
【請求項１４】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンおよびそれらのプラスミノーゲン活性を保持した変異体から選択される、請求項１〜１１のいずれか１項に記載の医薬組成物。
【請求項１５】
前記プラスミノーゲンは一種以上のその他の薬物または治療方法と併用され、
具体的には、前記一種以上のその他の薬物は、高血圧の治療薬、糖尿病の治療薬、アテローム性動脈硬化症の治療薬、慢性糸球体腎炎の治療薬、慢性腎盂腎炎の治療薬、ネフローゼ症候群の治療薬、腎機能不全の治療薬、尿毒症の治療薬、腎移植の治療薬、脂肪肝の治療薬、肝硬変の治療薬、肥満症の治療薬から選択される、請求項１〜１４のいずれか１項に記載の医薬組成物。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
対象の心筋損傷を予防または治療するための、有効量のプラスミノーゲンを含む医薬組成物。
【請求項２】
前記心筋損傷は、虚血、炎症、アレルギー反応、自己免疫、血栓、微小循環性障害、外傷、放射線損傷、糖質代謝障害、及び脂肪代謝障害による心筋損傷のいずれかを含む、請求項１に記載の医薬組成物。
【請求項３】
前記心筋損傷は、心筋炎と、心膜炎と、高血圧と、アテローム性動脈硬化症と、冠状動脈心臓病と、狭心症と、心筋梗塞と、不整脈と、心不全と、ショックと、汎発性血管内凝固と、微小循環性障害と、糖尿病と、高脂血症と、動脈及び／又は静脈血栓と、脂肪塞栓と、虚血再灌流と、全身性硬化症と、全身性エリテマトーデスと、冠状動脈狭窄と、リウマチ性心臓病と、僧帽弁狭窄／閉鎖不全症と、大動脈弁狭窄／閉鎖不全症とからなる群より選ばれる疾患による心筋損傷である、請求項１または２に記載の医薬組成物。
【請求項４】
前記心筋損傷は、虚血性心臓疾患による心筋損傷である、請求項１または２に記載の医薬組成物。
【請求項５】
前記虚血性心臓疾患は、アテローム性動脈硬化症、冠状動脈心臓病、狭心症、心筋梗塞、不整脈、心不全、ショック、汎発性血管内凝固、微小循環性障害、虚血再灌流、冠状動脈狭窄、僧帽弁狭窄／閉鎖不全症、及び大動脈弁狭窄／閉鎖不全症からなる群から選択される、請求項４に記載の医薬組成物。
【請求項６】
前記心筋損傷は、動脈及び／又は静脈血栓または脂肪塞栓による心筋損傷である、請求項１または２に記載の医薬組成物。
【請求項７】
前記血栓または塞栓は、アテローム性動脈硬化によるものである、請求項６に記載の医薬組成物。
【請求項８】
前記心筋損傷は炎症による心筋損傷である、請求項１または２に記載の医薬組成物。
【請求項９】
前記プラスミノーゲンは、心筋細胞損傷による心筋細胞アポトーシスを軽減する、請求項８に記載の医薬組成物。
【請求項１０】
前記プラスミノーゲンは損傷心筋の修復を促進する、請求項８または９に記載の医薬組成物。
【請求項１１】
前記プラスミノーゲンは損傷心筋の線維化を軽減する、請求項８〜１０のいずれか１項に記載の医薬組成物。
【請求項１２】
前記プラスミノーゲンは心筋機能の回復を促進する、請求項８〜１１のいずれか１項に記載の医薬組成物。
【請求項１３】
前記プラスミノーゲンは一種以上のその他の薬物または治療方法と併用され、
前記一種以上のその他の薬物は、具体的には、高血圧の治療薬、糖尿病の治療薬、アテローム性動脈硬化症の治療薬、慢性糸球体腎炎の治療薬、慢性腎盂腎炎の治療薬、ネフローゼ症候群の治療薬、腎機能不全の治療薬、尿毒症の治療薬、腎移植の治療薬、脂肪肝の治療薬、肝硬変の治療薬、及び肥満症の治療薬、
より具体的には、脂質低下薬、抗血小板薬、血圧降下薬、血管拡張薬、血糖降下薬、抗凝固薬、血栓溶解薬、肝臓保護薬、抗不整脈薬、強心薬、利尿薬、抗感染薬、抗ウイルス薬、免疫調節薬、炎症調節薬、抗腫瘍薬、ホルモン薬、及びチロキシンから選択される、
請求項１〜１２のいずれか１項に記載の医薬組成物。
【請求項１４】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものである、請求項１〜１３のいずれか１項に記載の医薬組成物。
【請求項１５】
前記プラスミノーゲンは、配列番号１４に示されるプラスミノーゲン活性フラグメントを含有し、且つ依然プラスミノーゲン活性を有するタンパク質である、請求項１〜１３のいずれか１項に記載の医薬組成物。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、被験者の腎組織損傷の予防及び／または治療における使用のための薬物組成物。
【請求項２】
前記腎組織損傷は、感染、炎症、アレルギー反応、自己免疫、虚血、血栓症、微小血管症、外傷、放射線損傷、糖質代謝障害、電解質異常、脂肪代謝障害、及びガンによる腎組織損傷を含む、請求項１に記載の薬物組成物。
【請求項３】
前記腎組織損傷は、高血圧、糖尿病、アテローム性動脈硬化症、全身性硬化症、全身性エリテマトーデス、高脂血症、非ホジキンリンパ腫、多発性骨髄腫、全身性血管炎、アレルギー性紫斑病、多発性筋炎、及び血栓性微小血管症からなる群より選ばれる全身性疾患による腎組織損傷である、請求項１または２に記載の薬物組成物。
【請求項４】
前記腎組織損傷は、慢性腎臓病、具体的には、慢性糸球体腎炎、慢性腎盂腎炎、ネフローゼ症候群、腎機能不全、腎不全、または尿毒症によって引き起こされる腎組織損傷である、請求項１または２に記載の薬物組成物。
【請求項５】
前記プラスミノーゲンは、損傷した腎組織の修復を促進する、損傷した腎組織の線維性を軽減する、及び／または腎機能の回復を促進する、請求項１〜４のいずれか１項に記載の薬物組成物。
【請求項６】
前記腎組織損傷は、他の疾患によって引き起こされる、または他の疾患に伴うものであり、前記他の疾患は、高血圧、糖尿病、アテローム性動脈硬化症、高脂血症、肝炎、肝硬変、冠状動脈性心臓病、狭心症、及び心筋梗塞を含む、請求項１〜５のいずれか１項に記載の薬物組成物。
【請求項７】
前記腎組織損傷が、被験者の自己免疫反応によって、具体的には、全身性硬化症によって引き起こされる、請求項１に記載の薬物組成物。
【請求項８】
前記腎組織損傷が、被験者の炎症性腎組織損傷、具体的には、糸球体腎炎または慢性腎盂腎炎である、請求項１に記載の薬物組成物。
【請求項９】
前記プラスミノーゲンは配列２と少なくとも７５％、８０％、８５％、９０％、９５％、９６％、９７％、９８％または９９％の配列同一性を有し、且つ依然プラスミノーゲン活性を有するものである、請求項１〜８のいずれか１項に記載の薬物組成物。
【請求項１０】
前記プラスミノーゲンは、配列１４に示されるプラスミノーゲン活性フラグメントを含有し、且つ依然プラスミノーゲン活性を有するタンパク質である、請求項１〜８のいずれか１項に記載の薬物組成物。
【請求項１１】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜８のいずれか１項に記載の薬物組成物。
【請求項１２】
前記プラスミノーゲンは、血圧降下薬、脂質低下薬、抗生物質薬、抗凝固薬、血栓溶解薬、利尿薬、抗腫瘍薬、血糖降下薬、非ステロイド系抗炎症薬、免疫調節薬、抗感染薬、抗ウイルス薬、ホルモン、及び天然物活性成分からなる群より選ばれる１種以上の薬物と組み合わせて投与する、請求項１〜１１のいずれか１項に記載の薬物組成物。
【請求項１３】
ラベルを含む容器と、
請求項１〜１１のいずれか１項に記載の薬物組成物とを含む製品であって、前記ラベルは、前記組成物を前記被験者に投与することを指示する、製品。
【請求項１４】
その他の薬物を含む、もう一つ以上の部材または容器をさらに含む、請求項１３に記載の製品。
【請求項１５】
前記その他の薬物は、脂質低下薬、抗血小板薬、血圧降下薬、抗張血管薬、血糖降下薬、抗凝固薬、血栓溶解薬、肝臓保護薬、抗不整脈薬、強心薬、利尿薬、抗感染薬、抗ウイルス薬、免疫調節薬、炎症調節薬、抗腫瘍薬、ホルモン薬、及びチロキシンからなる群より選ばれる、請求項１４に記載の製品。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、被験者の肺臓組織の損傷による肺臓コラーゲンの沈着または繊維化を予防または治療するための薬物組成物。
【請求項２】
前記損傷は、虚血再灌流性損傷、免疫性損傷、化学物質による損傷、炎症性損傷、またはガンによる損傷を含み、例えば、前記損傷は、自己免疫反応による損傷を含み、及び／または、肺繊維化は特発性肺繊維化である、請求項１に記載の薬物組成物。
【請求項３】
肺臓コラーゲンの沈着または繊維化が、アテローム性動脈硬化又は高脂血症により引き起こされるまたは合併する、請求項１に記載の薬物組成物。
【請求項４】
前記高脂血症は、血トリグリセリドレベルの上昇、血総コレステロールレベルの上昇、血低密度リポタンパクの上昇、血極低密度リポタンパクの上昇からなる群より選ばれる一つ以上を含む、請求項３に記載の薬物組成物。
【請求項５】
肺臓コラーゲンの沈着または繊維化が、被験者が毒性化学物質、放射または環境汚染物質を吸入することにより引き起こされる、請求項１に記載の薬物組成物。
【請求項６】
前記環境汚染物質はスモッグまたは作業場または労働場所の粉塵またはＰＭ２．５の吸入性粒子を含む、請求項５に記載の薬物組成物。
【請求項７】
肺臓コラーゲンの沈着または繊維化が、被験者の肺組織の細菌、ウイルス、クラミジア、スピロヘータ、もしくはリケッチア感染により引き起こされまたは伴われ、例えば、前記細菌感染は結核菌感染である、請求項１に記載の薬物組成物。
【請求項８】
肺臓コラーゲンの沈着または繊維化が、被験者の肺の病変により引き起こされまたは伴われる、請求項１に記載の薬物組成物。
【請求項９】
前記肺の病変は、肺炎、肺癌、肺塞栓、肺結核、肺性心疾患、または肺損傷である、請求項８に記載の薬物組成物。
【請求項１０】
被験者の肺の繊維化が慢性閉塞性肺疾患に伴われる、請求項１に記載の薬物組成物。
【請求項１１】
繊維化が、肺の繊維化の関連疾患を更に含み、且つ、任意で、肺の繊維化の関連疾患は、肺の繊維化による肺機能の減衰、障害または喪失により引き起こされる疾患、例えば、肺動脈性肺高血圧症、肺性心疾患、呼吸困難、または肺性脳症を含む、請求項１〜１０のいずれか１項に記載の薬物組成物。
【請求項１２】
前記薬物組成物は１種以上の治療手段または１種以上のその他の薬物、例えば、脂質低下薬、抗血小板薬、血圧降下薬、血管拡張薬、血糖降下薬、抗凝固薬、血栓溶解薬、肝臓保護薬、抗繊維化薬、抗不整脈薬、強心薬、利尿薬、抗腫瘍薬、放射化学療法薬、炎症調節薬、免疫調節薬、抗ウイルス薬、または抗生物質、と組み合わせて投与される、請求項１〜１１のいずれか１項に記載の薬物組成物。
【請求項１３】
前記プラスミノーゲンは配列２と少なくとも７５％、８０％、８５％、９０％、９５％、９６％、９７％、９８％または９９％の配列同一性を有し、且つ依然プラスミノーゲン活性を有するものである、請求項１〜１２のいずれか１項に記載の薬物組成物。
【請求項１４】
前記プラスミノーゲンは、配列１４に示されるプラスミノーゲン活性フラグメントを含有し、且つ依然プラスミノーゲン活性を有するタンパク質である、請求項１〜１３のいずれか１項に記載の薬物組成物。
【請求項１５】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜１３のいずれか１項に記載の薬物組成物。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、薬物によって引き起こされる被験者の腎組織損傷を予防及び／または治療するための薬物組成物。
【請求項２】
前記薬物は腎毒性薬物である、請求項１に記載の薬物組成物。
【請求項３】
前記薬物は腎臓から排泄される薬物、具体的には、化学療法薬物、血圧降下薬、脂質低下薬、血糖降下薬、非ステロイド系抗炎症薬、抗生物質薬、及び抗ウイルス薬から選ばれる薬物、より具体的には、シスプラチンである、請求項１または２に記載の薬物組成物。
【請求項４】
前記プラスミノーゲンは、損傷した腎組織の修復を促進する、腎臓機能の回復を促進する、損傷した腎組織の線維性を軽減する、及び／または損傷した腎組織のアポトーシスを軽減する、請求項１〜３のいずれか１項に記載の薬物組成物。
【請求項５】
前記薬物によって引き起こされる被験者の腎組織損傷は、急性腎組織損傷または慢性腎組織損傷である、請求項１〜４のいずれか１項に記載の薬物組成物。
【請求項６】
前記急性腎損傷は、急性糸球体腎炎、急性腎盂腎炎、急性腎不全、急性腎機能不全、または急性尿細管壊死である、請求項５に記載の薬物組成物。
【請求項７】
前記プラスミノーゲンは、腎臓機能の回復を促進する、請求項１〜６のいずれか１項に記載の薬物組成物。
【請求項８】
前記プラスミノーゲンは、腎臓による尿素窒素及び／またはクレアチニンの排除を促進する、請求項１〜７のいずれか１項に記載の薬物組成物。
【請求項９】
前記腎組織損傷が、血尿、タンパク尿、円柱尿、糸球体濾過量の減少、乏尿、無尿、代謝物貯留、水分、電解質及び酸塩基バランス障害、腎線維症、腎不全、ならびに尿毒症からなる群より選ばれる組織損傷に関連する疾患を含む、請求項１〜８のいずれか１項に記載の薬物組成物。
【請求項１０】
前記プラスミノーゲンは配列２と少なくとも７５％、８０％、８５％、９０％、９５％、９６％、９７％、９８％または９９％の配列同一性を有し、且つ依然プラスミノーゲン活性を有するものである、請求項１〜９のいずれか１項に記載の薬物組成物。
【請求項１１】
前記プラスミノーゲンは、配列１４に示されるプラスミノーゲン活性フラグメントを含有し、且つ依然プラスミノーゲン活性を有するタンパク質である、請求項１〜９のいずれか１項に記載の薬物組成物。
【請求項１２】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜９のいずれか１項に記載の薬物組成物。
【請求項１３】
ラベルを含む容器と、
前記容器内の請求項１〜１２のいずれか１項に記載の薬物組成物とを含む製品であって、前記ラベルは、前記組成物を前記被験者に投与することを指示する、製品。
【請求項１４】
その他の薬物を含む、もう一つ以上の部材または容器をさらに含む、請求項１３に記載の製品。
【請求項１５】
前記その他の薬物は、脂質低下薬、抗血小板薬、血圧降下薬、抗張血管薬、血糖降下薬、抗凝固薬、血栓溶解薬、肝臓保護薬、抗不整脈薬、強心薬、利尿薬、抗感染薬、抗ウイルス薬、免疫調節薬、炎症調節薬、抗腫瘍薬、ホルモン薬、及びチロキシンからなる群より選ばれる、請求項１４に記載の製品。